(57)【要約】【課題】発熱部が勝手に発熱するようなことがなく、誤動作が防止され、高い信頼性及び安全性を得ることができる過熱防止回路を提供する。【解決手段】電気ヒーター１を構成する発熱部３の発熱ユニット１８から放射される熱により過熱しやすい反射板１５の頂上部が所定温度以上に上昇すると、温度センサ２５がＯＮ状態となり、ＰＩＣ回路２３のマスターリセット端子２３ａがリセットされて通常のスイッチ操作で駆動することが不可能となる。一方、反射板１５の頂上部が所定温度以下に低下すると、温度センサ２５がＯＦＦ状態に自動復帰し、ＰＩＣ回路２３のマスターリセット端子２３ａのリセット状態が解除されて通常のスイッチ操作で通電可能な待機状態に復帰する。【選択図】  図２
2006048992.tif 000002
【特許請求の範囲】
【請求項１】
発熱部から放射される熱で所望する部分又は範囲を適度に加熱する発熱装置に備えられる過熱防止回路であって、
上記発熱部から放射される熱により過熱しやすい部分の温度を検知する温度センサを、ＰＮＰ型トランジスターのエミッタとベースとに接続し、
上記発熱装置の各部への通電を制御するＰＩＣ回路のマスターリセット端子を、上記ＰＮＰ型トランジスターのコレクタに接続し、
上記過熱しやすい部分が所定温度以上に上昇し、該部分の温度を検知する温度センサがＯＮ状態に変位したとき、上記ＰＮＰ型トランジスターのエミッタとベースとに略同一の電圧を付加し、その時に出力される信号でＰＩＣ回路のマスターリセット端子を上記各部への通電が遮断される状態にリセットし、
上記過熱しやすい部分が所定温度以下に低下し、該部分の温度を検知する温度センサがＯＦＦ状態に復帰したとき、上記ＰＮＰ型トランジスターのエミッタとベースとに異なる電圧を付加し、
上記ＰＩＣ回路のマスターリセット端子を上記各部への通電が可能な状態にリセット解除して、手動によるスイッチ操作で通電可能な待機状態に復帰させる
過熱防止回路。
【請求項２】
発熱部から放射される熱で所望する部分又は範囲を適度に加熱する発熱装置に備えられる過熱防止回路であって、
上記発熱部から放射される熱により過熱しやすい部分の温度を検知する温度センサを、ＮＰＮ型トランジスターのエミッタとベースとに接続し、
上記発熱装置の各部への通電を制御するＰＩＣ回路のマスターリセット端子を、上記ＮＰＮ型トランジスターのエミッタに接続し、
上記過熱しやすい部分が所定温度以上に上昇し、該部分の温度を検知する温度センサがＯＮ状態に変位したとき、上記ＮＰＮ型トランジスターのエミッタとベースとに略同一の電圧を付加し、その時に出力される信号でＰＩＣ回路のマスターリセット端子を上記各部への通電が遮断される状態にリセットし、
上記過熱しやすい部分が所定温度以下に低下し、該部分の温度を検知する温度センサがＯＦＦ状態に復帰したとき、上記ＮＰＮ型トランジスターのエミッタとベースとに異なる電圧を付加し、
上記ＰＩＣ回路のマスターリセット端子を上記各部への通電が可能な状態にリセット解除して、手動によるスイッチ操作で通電可能な待機状態に復帰させる
過熱防止回路。
【請求項３】
上記温度センサを、上記発熱部から放射される熱により過熱しやすい反射板の頂上部に設けた
請求項１又は２記載の過熱防止回路。
【請求項４】
上記温度センサを、上記発熱部から放射される熱で過熱しやすい部分が所定温度以下に低下するとＯＦＦ状態に復帰する自動復帰型のサーモスタットで構成した
請求項１，２又は３記載の過熱防止回路。
【発明の詳細な説明】
【技術分野】
【０００１】
この発明は、例えば電気ヒーターや電気ストーブ、電気火鉢、電気アンカ等の発熱機能を有する発熱装置の過熱を防止するために用いられる過熱防止回路に関する。
【背景技術】
【０００２】
従来、上述の過熱防止回路としては、例えばハロゲンヒーターの電気回路を構成するダイオードを支持するヒートシンクに、ダイオード不良時に発生する急激な熱上昇を防止する温度過昇防止装置を装着した特許文献１の温度過昇防止装置付ハロゲンヒーターがある。
【０００３】
しかし、上述の温度過昇防止装置付ハロゲンヒーターには、使用時に何らかの状況により転倒した場合、電源全体をＯＦＦするための安全スイッチ（正常位置ではＯＮ状態）が取り付けられている。また、ハロゲンヒーター近くに装着したサーモスタット又は温度フューズにより、異常温度又は温度過昇を検出した場合、ハロゲンヒーターへの電源をＯＦＦさせる。
【０００４】
例えば正常温度になると勝手にＯＮ状態に復旧するような自動復帰型の温度フューズを使用した場合、電源スイッチをＯＮ操作していないのにハロゲンヒーターが勝手に発熱するため、ハロゲンヒーター近くの物が過熱しすぎにより溶解するか、電子部品が熱により故障することがある。また、火災や火傷等が起きる原因となるため、安全性の点で高い信頼が得られない。
【０００５】
また、部品を取り替えないとＯＮ状態に回復できないものを使用した場合、部品の取り替え作業に手間及び時間が掛かるだけでなく、部品や作業等に費用が掛かるため、経費及び維持費が高くなる。
【０００６】
使用時において、特別に温度上昇を来す重要な部品（例えば強・弱に切替え用ダイオード）の故障による過熱事故防止用の温度フューズもあるが、過熱時において、温度フューズが短絡して、通電を遮断するものであるため、上述と同様に、ＯＮ状態に回復させる場合、取り替えなければならない。
【０００７】
【特許文献１】実用新案登録第３０８８７４４号公報
【発明の開示】
【発明が解決しようとする課題】
【０００８】
この発明は上記問題に鑑み、発熱部から放射される熱により過熱しやすい部分の温度を検知する温度センサによる検知に基づいて、各部への通電を制御するＰＩＣ回路のマスターリセット端子をリセット又は該リセットを解除することより、発熱部から放射される熱により過熱しやすい部分の温度が低下しても、手動により通電可能な状態にＯＮ操作するまで、発熱部が勝手に発熱するようなことがなく、誤動作が防止され、高い信頼性及び安全性を得ることができる過熱防止回路の提供を目的とする。
【課題を解決するための手段】
【０００９】
請求項１に記載した発明の過熱防止回路は、発熱部から放射される熱で所望する部分又は範囲を適度に加熱する発熱装置に備えられる過熱防止回路であって、上記発熱部から放射される熱により過熱しやすい部分の温度を検知する温度センサを、ＰＮＰ型トランジスターのエミッタとベースとに接続し、上記発熱装置の各部への通電を制御するＰＩＣ回路のマスターリセット端子を、上記ＰＮＰ型トランジスターのコレクタに接続し、上記過熱しやすい部分が所定温度以上に上昇し、該部分の温度を検知する温度センサがＯＮ状態に変位したとき、上記ＰＮＰ型トランジスターのエミッタとベースとに略同一の電圧を付加し、その時に出力される信号でＰＩＣ回路のマスターリセット端子を上記各部への通電が遮断される状態にリセットし、上記過熱しやすい部分が所定温度以下に低下し、該部分の温度を検知する温度センサがＯＦＦ状態に復帰したとき、上記ＰＮＰ型トランジスターのエミッタとベースとに異なる電圧を付加し、上記ＰＩＣ回路のマスターリセット端子を上記各部への通電が可能な状態にリセット解除して、手動によるスイッチ操作で通電可能な待機状態に復帰させることを特徴とする。
【００１０】
つまり、発熱部から放射される熱により過熱しやすい部分が所定温度以上に上昇し、その部分の温度を検知する温度センサがＯＮ状態に変位したとき、ＰＮＰ型トランジスターのエミッタとベースとに略同一の電圧を付加して、エミッタからコレクタへの通電を遮断すると共に、温度センサのＯＮ状態時に出力される信号でＰＩＣ回路のマスターリセット端子を各部への通電が遮断される状態にリセットする。上述の過熱しやすい部分が所定温度以下に低下し、その部分の温度を検知する温度センサがＯＦＦ状態に自動復帰したとき、ＰＮＰ型トランジスターのエミッタとベースとに異なる電圧を付加して、エミッタからコレクタへの通電を可能にすると共に、温度センサのＯＦＦ状態に信号を出力せず、ＰＩＣ回路のマスターリセット端子を各部への通電が可能な状態にリセット解除して、手動による通常のスイッチ操作で通電可能な待機状態に復帰させる。
【００１１】
請求項２に記載した発明の過熱防止回路は、発熱部から放射される熱で所望する部分又は範囲を適度に加熱する発熱装置に備えられる過熱防止回路であって、上記発熱部から放射される熱により過熱しやすい部分の温度を検知する温度センサを、ＮＰＮ型トランジスターのエミッタとベースとに接続し、上記発熱装置の各部への通電を制御するＰＩＣ回路のマスターリセット端子を、上記ＮＰＮ型トランジスターのエミッタに接続し、上記過熱しやすい部分が所定温度以上に上昇し、該部分の温度を検知する温度センサがＯＮ状態に変位したとき、上記ＮＰＮ型トランジスターのエミッタとベースとに略同一の電圧を付加し、その時に出力される信号でＰＩＣ回路のマスターリセット端子を上記各部への通電が遮断される状態にリセットし、上記過熱しやすい部分が所定温度以下に低下し、該部分の温度を検知する温度センサがＯＦＦ状態に復帰したとき、上記ＮＰＮ型トランジスターのエミッタとベースとに異なる電圧を付加し、上記ＰＩＣ回路のマスターリセット端子を上記各部への通電が可能な状態にリセット解除して、手動によるスイッチ操作で通電可能な待機状態に復帰させることを特徴とする。
【００１２】
つまり、発熱部から放射される熱により過熱しやすい部分が所定温度以上に上昇し、その部分の温度を検知する温度センサがＯＮ状態に変位したとき、ＮＰＮ型トランジスターのエミッタとベースとに略同一の電圧を付加して、コレクタからエミッタへの通電を遮断すると共に、温度センサのＯＮ状態時に出力される信号でＰＩＣ回路のマスターリセット端子を各部への通電が遮断される状態にリセットする。上述の過熱しやすい部分が所定温度以下に低下し、その部分の温度を検知する温度センサがＯＦＦ状態に自動復帰したとき、ＮＰＮ型トランジスターのエミッタとベースとに異なる電圧を付加して、コレクタからエミッタへの通電を可能にすると共に、温度センサのＯＦＦ状態に信号を出力せず、ＰＩＣ回路のマスターリセット端子を各部への通電が可能な状態にリセット解除して、手動による通常のスイッチ操作で通電可能な待機状態に復帰させる。
【００１３】
上述の温度センサは、例えば発熱部から放射される熱により過熱しやすい部分が所定温度以上に上昇するとＯＮ状態となり、その部分が所定温度以下に低下するとＯＦＦ状態に自動復帰又は自動復旧するようなサーモスタット、或いは、非接触式センサや接触式センサ等で構成することができる。また、過熱しやすい部分とは、例えば電気ヒーターや電気火鉢、電気アンカ等の発熱装置を構成する発熱ユニットから放射される熱により過熱しやすい反射板の頂上部、反射板の中央部等に相当する。
【００１４】
請求項３に記載した発明の過熱防止回路は、上記請求項１又は２記載の構成と併せて、上記温度センサを、上記発熱部から放射される熱により過熱しやすい部分に設けたことを特徴とする。つまり、過熱しやすい部分の温度変化に対応して、ＰＩＣ回路回路を作動又は停止させるので、他の部分が所定温度以上の高温に過熱されるのを防止し、機能を維持することができる。
【００１５】
請求項４に記載した発明の過熱防止回路は、上記請求項１，２又は３記載の構成と併せて、上記温度センサを、上記発熱部から放射される熱で過熱しやすい部分が所定温度以下に低下するとＯＦＦ状態に復帰する自動復帰型のサーモスタットで構成したことを特徴とする。つまり、上述のサーモスタットは、過熱しやすい部分の温度が所定温度以下に低下するとＯＦＦ状態に自動復帰するので、ＯＮ状態に回復させるために、部品を取り替えるような手間及び作業が省け、作業性の向上及び経費の削減が図れる。
【発明の効果】
【００１６】
この発明によれば、発熱部から放射される熱で過熱しやすい部分が所定温度以上に上昇すると、温度センサがＯＮ状態となり、ＰＩＣ回路のマスターリセット端子を各部への通電が遮断される状態にリセットする。一方、過熱しやすい部分が所定温度以下に低下すると、温度センサがＯＦＦ状態に自動復帰し、ＰＩＣ回路のマスターリセット端子を各部への通電が可能な待機状態にリセット解除するが、電源スイッチを、手動により通電可能な状態にＯＮ操作しなければ発熱部に通電されず、従来例のように温度センサが自動復帰すると同時に、発熱部が勝手に発熱するようなことがなく、誤動作が防止され、高い信頼性及び安全性が得られる。また、通常の通電可能な状態に復帰させるために特別な部品を交換する必要がなく、通常のスイッチ操作で再使用することができる。
【００１７】
また、温度センサの接点は信号を出力するものであり、大電流を通電又は遮断するものではないため、寿命が長く、コストの低減を図ることができる。また、温度センサを、ＰＮＰ型トランジスター又はＮＰＮ型トランジスターのエミッタとベースとの間に接続するので、過熱を防止するための回路の実装やプログラムの変更が不要であり、過熱防止機能を簡単に取り付けることができる。
【発明を実施するための最良の形態】
【００１８】
この発明は、発熱部から放射される熱により過熱しやすい部分の温度が低下しても、手動により通電可能な状態にＯＮ操作するまで、発熱部が勝手に発熱するようなことがなく、誤動作が防止され、高い信頼性及び安全性を得ることができるという目的を、発熱部から放射される熱により過熱しやすい部分の温度を検知する温度センサによる検知に基づいて、各部への通電を制御するＰＩＣ回路のマスターリセット端子をリセット又は該リセットを解除することで達成した。
【実施例】
【００１９】
この発明の一実施の形態を以下図面に基づいて詳述する。  
図面は、発熱装置の一例である電気ヒーターに過熱防止回路を備えた実施形態を示し、図１に於いて、この電気ヒーター１は、例えば床や地面等の所望する場所に対して起立状態に設置される側面から見て略台形状の支持台２と、その支持台２の上端部に対して上下及び左右に回動自在に取り付けられ、所望する方向に向けて熱（遠赤外線）を放射する発熱部３とで構成される。
【００２０】
上述の支持台２は、側面から見て略円筒状に形成した支持部４を、平面から見て略円盤状に形成した台座部５の略上面中央部に立設し、支持部４の上端側中心部に対して所望する高さに上下調節自在に挿入された支柱６を、モータ(図示省略)により上下及び左右に回動される首振り機構７を介して、後述する発熱部３の後側下部に連結している。また、首振り機構７を、例えば利用者の手で所望する角度及び方向に回動自在に設けることもできる。
【００２１】
且つ、支柱６の上下動を固定及びその固定を解除する高さ調節ボタン８を、支柱６側部（例えば後面や側面、前面等）に設け、発熱部３を所望する高さに上下調節するときに操作する。また、発熱部３の高さを、例えばレバーやハンドル等で上下調節することもできる。
【００２２】
且つ、後述する発熱ユニット１８に対して電源から供給される電流を通電又は遮断し、首振り機構７を駆動及び停止するための電源スイッチ９と、発熱ユニット１８の発熱時間を設定するためのタイマースイッチ１０と、発熱ユニット１８の発熱温度を強・中・弱に切替えるための切替えスイッチ１１とを、台座部５の前側上面（操作面）に配設している。
【００２３】
且つ、電気ヒーター１が所定角度以上に傾斜又は転倒したときに通電を遮断し、電気ヒーター１を所定角度に起立又は台座部５を安定姿勢に接地したときに通電する転倒防止スイッチ１２を、台座部５の接地面側に設けると共に、電源（例えば一般家庭用又は工業用のコンセント）に接続されるプラグ付きの電源コード１３を、台座部５の後部又は側部に接続している。また、電源コード１３を収容するためのコード収容部（図示省略）を、台座部５の後部又は側部に設けることもできる。
【００２４】
なお、実施例のスイッチ９，１０，１１はダイヤル式（回動式）であるが、例えば静電感知式スイッチや感圧式スイッチ、レバー式スイッチ、スライド式スイッチ等で構成するか、各種スイッチを組み合わせて構成することもできる。また、発熱ユニット１８のＯＮ及びＯＦＦ、発熱時間、発熱温度、首振り動作等を、例えば無線式（赤外線式）のリモート・コントローラーで制御することもできる。
【００２５】
前述の発熱部３は、正面から見て略円形状で、側面から見て略椀形状（略パラボラアンテナ型）に形成した反射効率のよい金属製（例えばアルミニウムやステンレス等）の反射板１５を、上述の支柱６上端に連結した本体部１４前面に取り付け、その反射板１５の後面側に、反射板１５と略酷似する断面形状に形成した合成樹脂製又は金属製の反射板カバー１６を取り付け、金属製の線条体を略放射状に配設してなる側面から見て略椀形状に形成した発熱部カード１７を、反射板１５の前面側に取り付け、遠赤外線からなる熱を放射する発熱ユニット１８を、反射板１５の前面側中央部に取り付けている。且つ、複数の放熱孔（図示省略）を反射板カバー１６の後面側に形成して、反射板１５と反射板カバー１６との対向面間に形成された空間部と連通している。
【００２６】
前述の発熱ユニット１８は、側面から見て略円錐筒状に形成した金属製（例えばアルミニウムやステンレス等）の支持部材１９を、反射板１５の前面側中央部に固定し、後述する発熱ヒーター２１の前面及び側面が覆われる大きさに形成した発熱体カバー２０を、支持部材１９の前端部に取り付け、正面から見て略環状に形成した発熱ヒーター２１（例えばハロゲンヒーターやシーズヒーター等の発熱体）を、発熱体カバー２０の後面側に取り付けている。
【００２７】
前述の台座部５に内蔵された制御部２２は、首振り機構７と、電源スイッチ９と、タイマースイッチ１０と、切替えスイッチ１１と、転倒防止スイッチ１２と、発熱ユニット１８と、温度センサ２５との駆動及び停止を制御するＰＩＣ回路２３と、発熱部３の一部（特に反射板１５の頂上部）又は全体が過熱されるのを防止する過熱防止回路２４とを備えている。
【００２８】
上述の過熱防止回路２４は、図２にも示すように、自動復帰型サーモスタットで構成される温度センサ２５を、発熱ユニット１８から放射される熱により過熱されやすい部分に相当する反射板１５の頂上部に設け、その温度センサ２５の接点２５ａ，２５ａに直結された回線２５ｃ，２５ｃを、ＰＮＰ型トランジスター２７のエミッタ２７ａに直結されたＶｃｃ２６（回路用電源）の回線２６ａと、ＰＮＰ型トランジスター２７のベース２７ｂとに接続している。
【００２９】
また、ＰＮＰ型トランジスター２７のエミッタ２７ａとベース２７ｂとに電圧差を生じさせるような抵抗値（１０Ω）の第１抵抗２８を、ＰＮＰ型トランジスター２７のエミッタ２７ａ及びベース２７ｂの近くに配線された温度センサ２５の回線２５ｃ，２５ｃ間に接続している。
【００３０】
また、第１抵抗２８と対向してベース２７ｂ側の回線２５ｃに直結された回線２５ｄを、第１抵抗２８よりも大きな抵抗値（５１Ω）の第２抵抗２９を介して、アース３２に接続している。
【００３１】
また、ＰＮＰ型トランジスター２７のコレクタ２７ｃに直結された回線２７ｄを、任意の抵抗値（ＲΩ）の第３抵抗３０を介して、アース３２に接続している。
【００３２】
また、ＰＩＣ回路２３のマスターリセット端子２３ａを、ＰＮＰ型トランジスター２７のコレクタ２７ｃと第３抵抗３０との間の回線２７ｄに接続している。
【００３３】
上述の回線２５ｃ，２５ｃは、支持台２を構成する支持部４及び台座部５、支柱６の内部と、発熱部３を構成する反射板１５と反射板カバー１６との間に形成された空間部とに配線しているが、回線２５ｃ，２５ｃが長くなると、外部のノイズが回線２５ｃ，２５ｃに伝わり、ＰＮＰ型トランジスター２７が誤作動する恐れがあるため、ノイズ除去機能を有するコンデンサー３１を、温度センサ２５と第１抵抗２８との間に配線された回線２５ｃ，２５ｃ間に接続している。
【００３４】
上述の温度センサ２５は、発熱ユニット１８から放射される熱により過熱しやすい反射板１５の頂上部が所定温度以上に上昇したとき、温度センサ２５の接点２５ａ，２５ａがスイッチ２５ｂにより通電可能なＯＮ状態に接続され、その接点２５ａ，２５ａを接続したときに発生する信号をＰＩＣ回路２３に出力する。且つ、反射板１５の頂上部が所定温度以下に低下し、温度センサ２５のスイッチ２５ｂが接点２５ａ，２５ａから離れてＯＦＦ状態に自動復帰したときは、上述の信号はＰＩＣ回路２３に出力されない。また、温度センサ２５を、例えば発熱ヒーターやダイオード等の部品が所定温度以上に過熱されるのを防止するために設けてもよい。
【００３５】
前述のＰＮＰ型トランジスター２７は、温度センサ２５のスイッチ２５ｂが接点２５ａ，２５ａから離れてＯＦＦ状態に自動復帰しているとき、電源スイッチ９を手動でＯＮ操作すると、エミッタ２７ａには、Ｖｃｃ２６から供給される電圧（略５Ｖ）が直接付加され、ベース２７ｂには、第１抵抗２８と第２抵抗２９の抵抗値に応じた電圧（略４．２Ｖ）が付加され、エミッタ２７ａとベース２７ｂとに付加される電圧に略０．７Ｖ以上（トランジスターの作動電圧）の差が生じるため、エミッタ２７ａからコレクタ２７ｃへの通電を可能にする。
【００３６】
また、温度センサ２５の接点２５ａ，２５ａがスイッチ２５ｂで通電可能なＯＮ状態に接続されているとき、第１抵抗２８を通過せずに、Ｖｃｃ２６から供給される略同一の電圧（略５Ｖ）がエミッタ２７ａ及びベース２７ｂに付加され、エミッタ２７ａからコレクタ２７ｃへの通電を遮断する。
【００３７】
図示実施例は上記の如く構成するものにして、以下、電気ヒーター１に備えられた過熱防止回路２４の動作を説明する。
【００３８】
先ず、発熱部３を構成する反射板１５の頂上部が所定温度以下であり、温度センサ２５の接点２５ａ，２５ａが通電不可なＯＦＦ状態であり、ＰＩＣ回路２３を構成するマスターリセット端子２３ａがリセット状態（電源ＯＮ状態）で、図３に示すＰ点においてリセット（電源ＯＦＦ状態）されるまでに、電源スイッチ９を手動でＯＮ操作すると、発熱部３を構成する発熱ユニット１８から放射される熱（遠赤外線）が反射板１５により集熱して略前方に向けて反射され、所望する場所又は範囲を、発熱ユニット１８の発熱ヒーター２１が放射する熱により予め設定した時間、所定温度に暖房することができる。
【００３９】
暖房時間が長くなると、発熱ユニット１８から放射される熱により過熱しやすい反射板１５の頂上部に蓄熱され、反射板１５の頂上部が所定温度以上（異常温度＝略１１０℃）に上昇したとき、その温度変化を検知する温度センサ２５の接点２５ａ，２５ａにスイッチ２５ｂが接触して、回線２５ｃ，２５ｃを通電可能なＯＮ状態に接続する。
【００４０】
温度センサ２５の接点２５ａ，２５ａが通電可能に接続されることにより、Ｖｃｃ２６から供給される電流がＰＮＰ型トランジスター２７のエミッタ２７ａとベース２７ｂとに送られ、第１抵抗２８を通過せずに、Ｖｃｃ２６から供給される略同一の電圧（略５Ｖ）がエミッタ２７ａ及びベース２７ｂに付加され、エミッタ２７ａからコレクタ２７ｃへの通電が遮断される。且つ、温度センサ２５の接点２５ａ，２５ａを接続したときに発生する信号がＰＩＣ回路２３のマスターリセット端子２３ａに出力され、図３に示すＰ点において、ＰＩＣ回路２３のマスターリセット端子２３ａを各部への通電が遮断される状態にリセット（電源ＯＦＦ状態）し、発熱部３を構成する発熱ユニット１８への通電を遮断して、発熱作用を停止する。
【００４１】
つまり、反射板１５の頂上部が所定温度以下に低下し、温度センサ２５がＯＦＦ状態に自動復帰するまで、ＰＩＣ回路２３を構成するマスターリセット端子２３ａのリセット状態が解除されず、電気ヒーター１を構成する各部への通電遮断状態が継続されるため、図３に示すＮ点において、ＰＩＣ回路２３を構成するマスターリセット端子２３ａのリセット状態が解除（電源ＯＮ状態）されるまで、電源スイッチ９を手動でＯＮ操作しても、各部に通電されず、発熱部３の発熱ユニット１８が勝手に発熱するのを防止することができる。
【００４２】
一方、反射板１５の頂上部が所定温度以下に低下し、その温度変化を検知した温度センサ２５のスイッチ２５ｂが接点２５ａ，２５ａから離れてＯＦＦ状態に自動復帰又は自動復旧すると、回線２５ｃ，２５ｃが通電不可なＯＦＦ状態に遮断される。ＰＮＰ型トランジスター２７のエミッタ２７ａには、Ｖｃｃ２６から供給される略５Ｖの電圧が直接付加され、ベース２７ｂには、第１抵抗２８と第２抵抗２９の抵抗値に応じた略４．２Ｖの電圧が付加されるため、ＰＮＰ型トランジスター２７のエミッタ２７ａ及びベース２７ｂに付加される電圧に略０．７Ｖ以上（トランジスターの作動電圧）の差が生じ、エミッタ２７ａからコレクタ２７ｃへ通電が可能となる。
【００４３】
温度センサ２５の接点２５ａ，２５ａを接続したときに発生する信号がＰＩＣ回路２３に出力されず、Ｖｃｃ２６から供給される電流が、ＰＮＰ型トランジスター２７のエミッタ２７ａからコレクタ２７ｃに流れて、図３に示すＮ点において、ＰＩＣ回路２３を構成するマスターリセット端子２３ａが各部への通電が可能な状態にリセット解除（電源ＯＮ状態）され、電気ヒーター１を構成する各部が通常のスイッチ操作で通電可能な待機状態又は入力待ち状態に復帰する。
【００４４】
つまり、電源スイッチ９を、手動又はリモコン等による通常のスイッチ操作でＯＮ操作すれば、発熱部３を構成する発熱ユニット１８から放射される熱で所望する場所及び範囲を暖めることができる。
【００４５】
以上のように、発熱部３から放射される熱で過熱しやすい反射板１５の頂上部が所定温度以上に上昇すると、温度センサ２５がＯＮ状態となり、ＰＩＣ回路２３を構成するマスターリセット端子２３ａがリセットされ、手動による通常のスイッチ操作で駆動することが不可能となる。一方、反射板１５の頂上部が所定温度以下に低下すると、温度センサ２５がＯＦＦ状態に自動復帰し、ＰＩＣ回路２３を構成するマスターリセット端子２３ａのリセット状態が解除されるので、電気ヒーター１を構成する各部が通常のスイッチ操作で通電可能な待機状態に復帰するが、電源スイッチ９を、手動でＯＮ操作しなければ発熱部３に通電されず、従来例のように温度センサ２５が自動復帰すると同時に、発熱部３が勝手に発熱するようなことがなく、誤動作が防止され、高い信頼性及び安全性を得ることができる。また、温度センサ２５がＯＦＦ状態に自動復帰し、ＰＩＣ回路２３のリセット状態が解除されなければ、電源スイッチ９をＯＮ操作しても発熱部３に通電されない。
【００４６】
また、各部が通常のスイッチ操作で通電可能な待機状態に復帰した後、発熱部３を発熱させる必要であれば電源スイッチ９を手動でＯＮ操作し、不要であれば電源スイッチ９をＯＮ操作する必要が無く、発熱部３を発熱させるか否かを選択することができる。また、通常の通電可能な状態に復帰させるために特別な部品を交換する必要がなく、通常のスイッチ操作で再使用することができる。
【００４７】
また、温度センサ２５の接点２５ａ，２５ａは信号を出力するものであり、大電流を通電又は遮断するものではないので、寿命が長く、コストの低減を図ることができる。また、温度センサ２５を、ＰＮＰ型トランジスター２７のエミッタ２７ａとベース２７ｂとの間に接続するので、過熱を防止する回路の実装やプログラムの変更無しで、過熱防止機能を簡単に取り付けることができる。
【００４８】
図４は、ＮＰＮ型トランジスター３７を備えた過熱防止回路２４の回路構成を示し、温度センサ２５の回線２５ｃを、ＮＰＮ型トランジスター３７のエミッタ３７ａとベース３７ｂとに接続し、ＰＩＣ回路２３のマスターリセット端子２３ａを、回線３７ｄを介してＮＰＮ型トランジスター３７のエミッタ３７ａに接続している。
【００４９】
つまり、温度センサ２５がＯＮ状態に変位したとき、ＮＰＮ型トランジスター３７のエミッタ３７ａとベース３７ｂとに略同一の電圧を付加して、Ｖｃｃ２６が接続されたコレクタ３７ｃからエミッタ３７ａへの通電を遮断すると共に、温度センサ２５のＯＮ状態時に出力される信号でＰＩＣ回路２３のマスターリセット端子２３ａを各部への通電が遮断される状態にリセットする。
【００５０】
また、温度センサ２５がＯＦＦ状態に自動復帰したとき、ＮＰＮ型トランジスター３７のエミッタ３７ａとベース３７ｂとに異なる電圧を付加して、Ｖｃｃ２６が接続されたコレクタ３７ｃからエミッタ３７ａへの通電を可能にすると共に、温度センサ２５のＯＦＦ状態に信号を出力せず、ＰＩＣ回路２３のマスターリセット端子２３ａを各部への通電が可能な状態にリセット解除するので、上述の実施例と略同等の作用及び効果を奏することができる。なお、上述の実施例と同一構成の部分は同一の符号を記してその詳細な説明を省略する。
【００５１】
この発明の構成と、上述の実施例との対応において、  
この発明の発熱装置は、実施例の電気ヒーター１に対応するも、  
この発明は、上述の実施例の構成のみに限定されるものではない。
【産業上の利用可能性】
【００５２】
本願発明の過熱防止回路は、例えば電気ストーブや電気火鉢、電気アンカ等の発熱機能を有するその他の発熱装置にも適用することができる。
【図面の簡単な説明】
【００５３】
【図１】過熱防止回路を備えた電気ヒーターを示す断面図。
【図２】ＰＮＰ型トランジスターを備えた過熱防止回路の構成を示す回路図。
【図３】ＰＩＣ回路及び発熱ヒーターの動作パターンを示す説明図。
【図４】ＮＰＮ型トランジスターを備えた過熱防止回路の構成を示す回路図。
【符号の説明】
【００５４】
１…電気ヒーター
３…発熱部
９…電源スイッチ
１５…反射板
１８…発熱ユニット
２１…発熱ヒーター
２２…制御部
２３…ＰＩＣ回路
２３ａ…マスターリセット端子
２４…過熱防止回路
２５…温度センサ
２６…Ｖｃｃ
２７…ＰＮＰ型トランジスター
２７ａ…エミッタ
２７ｂ…ベース
２７ｃ…コレクタ
２８…第１抵抗
２９…第２抵抗
３０…第３抵抗
３１…コンデンサー
３７…ＮＰＮ型トランジスター
３７ａ…エミッタ
３７ｂ…ベース
３７ｃ…コレクタ
【図１】
2006048992.tif 000003
【図２】
2006048992.tif 000004
【図３】
2006048992.tif 000005
【図４】
2006048992.tif 000006